(57)【要約】【課題】強風時のバタツキを防止し、また建設作業時の作業性及び安全性を向上させる筒形安全看板を提供する。【解決手段】建設工事現場において手摺、手摺用のパイプ１３又はロープに取り付けて安全作業を啓発する筒形安全看板１１であって、該筒形安全看板１１は、弾性を有する合成樹脂材で形成される筒体１１ａからなり、その長手方向に沿って取付用のスリット部１２を備え、筒体１１ａの外周面には、長手方向に沿って安全標語１４が表示されている。【選択図】図１
2013190738.tif 000002
【特許請求の範囲】
【請求項１】
建設工事現場において手摺、手摺用のパイプ又はロープに取り付けて安全作業を啓発する筒形安全看板であって、
該筒形安全看板は、
弾性を有する合成樹脂材で形成される筒体からなり、その長手方向に沿って取付用のスリット部を備え、
前記筒体の外周面には、長手方向に沿って安全標語が表示されていること
を特徴とする筒形安全看板。
【請求項２】
筒体の外周面には、安全標語が複数列に表示されていること
を特徴とする請求項１に記載の筒形安全看板。
【請求項３】
筒体の少なくとも端部には、回転防止用の滑り止め部材が取り付けられていること
を特徴とする請求項１に記載の筒形安全看板。
【発明の詳細な説明】
【技術分野】
【０００１】
本発明は、建設工事現場において、高所やスラブ端部に設置される手摺や単管パイプ等に取り付けて、安全作業を啓発するための筒形安全看板に関するものである。
【背景技術】
【０００２】
従来、この種の安全看板としては、図７に示す構成のものが知られている。この安全看板１は、円柱状の手摺部２に取り付ける筒部３と、この筒部３に垂下した状態に設けられる垂れ幕部４とから構成されており、垂れ幕部４には、「安全帯使用」等の安全標語が表示されている。
【０００３】
なお、特開２００１−３５０４１６号公報には、手摺を支持するブラケットに吊り下げる吊り看板が開示されている（特許文献１参照）。
【先行技術文献】
【特許文献】
【０００４】
【特許文献１】特開２００１−３５０４１６号公報（図１）
【発明の概要】
【発明が解決しようとする課題】
【０００５】
この従来例の安全看板１においては、図７に示すように、垂れ幕部４が全面的に風５を受ける構造であり、受風面積が広いので強風時にバタツキなどの風散現象が発生するという欠点を有している。
【０００６】
更には、図８に示すように、作業員６が安全帯７のフック８を手摺部２に係止した状態で移動するときに、安全看板１が邪魔になってフック８の移動が困難になる。この場合は、いったんフック８を取り外してから、進行方向側の手摺部２に付け替える（矢印Ａ参照）不安全行動が起こるという問題点を有している。
【０００７】
従って、従来例における安全看板１においては、強風時にバタツキなどの風散現象を防止することと、フック８を取り外す不安全行動を解消することとに解決しなければならない課題を有している。
【課題を解決するための手段】
【０００８】
前記従来例の課題を解決するための本発明の要旨は、建設工事現場において手摺、手摺用のパイプ又はロープに取り付けて安全作業を啓発する筒形安全看板であって、該筒形安全看板は、弾性を有する合成樹脂材で形成される筒体からなり、その長手方向に沿って取付用のスリット部を備え、前記筒体の外周面には、長手方向に沿って安全標語が表示されていることである。
【０００９】
また、前記筒体の外周面には、安全標語が複数列に表示されていること、；
前記筒体の少なくとも端部には、回転防止用の滑り止め部材が取り付けられていること、；
を含むものである。
【発明の効果】
【００１０】
本発明に係る筒形安全看板によれば、従来例のような垂れ幕部が存在しないので、受風面積が狭く、強風時にバタツキなどの風散現象が発生しない。
同様に、垂れ幕部が存在しないので、作業員が安全帯のフックを手摺に係止した状態で移動するときに、安全看板が邪魔にならない。つまり、フックを手摺に係止したままの状態で、筒体の外側に沿って移動できるので、従来例のようなフックをいったん取り外す不安全行動が起こらない。
また、筒形安全看板は、長手方向に沿って取付用のスリット部を備え、弾性を有する合成樹脂材で形成されるので、スリット部を押し広げてパイプに嵌め込むだけで、簡単に取り付けることができるという種々の優れた効果を奏する。
【００１１】
筒体の外周面には、安全標語が複数列に表示されていることによって、手摺に取り付けた筒体が意に反して回転しても、常に安全標語を視認することができるという優れた効果を奏する。
【００１２】
筒体の少なくとも端部には、回転防止用の滑り止め部材が取り付けられていることによって、手摺に取り付けた筒体が回転しないので、安全標語を常に同一位置で視認することができるという優れた効果を奏する。
【図面の簡単な説明】
【００１３】
【図１】本発明に係る筒形安全看板１１をパイプ１３に取り付けた状態を示す斜視図である。
【図２】作業員１６のパイプ１３に沿った移動を説明する説明図である。
【図３】筒形安全看板１１のパイプ１３への取り付け手順を説明する説明図である。
【図４】筒形安全看板１１のパイプ１３への取り付け手順を説明する説明図である。
【図５】筒形安全看板１１のパイプ１３への取り付け手順を説明する説明図である。
【図６】筒形安全看板１１の他の実施例を示す斜視図である。
【図７】従来例に係る安全看板１を手摺部２に取り付けた状態を示す斜視図である。
【図８】作業員６の不安全行動を説明する説明図である。
【発明を実施するための形態】
【００１４】
次に、本発明の実施の形態について図面を参照しながら説明する。まず、図１において、符号１１は筒形安全看板を示し、この筒形安全看板１１は、弾性を有する合成樹脂材で形成される筒体１１ａからなり、その長手方向に沿って取付用のスリット部１２を備える。
【００１５】
筒形安全看板１１は、図１に示すように、建設工事現場において、例えば円柱状の手摺や、手摺用のパイプ１３、あるいはロープ等に取り付けて使用し、安全作業を啓発するための看板であって、筒体１１ａの外周面には、長手方向に沿って「安全帯使用」等の安全標語１４が表示される。
【００１６】
安全標語１４は、筒体１１ａの外周面に長手方向に沿って複数列に表示されることが望ましい。何故ならば、パイプ１３に取り付けられた筒体１１ａが意に反して回転しても、常に安全標語１４を視認できるからである。
【００１７】
スリット部１２は、筒体１１ａの長手方向に沿って設けられており、筒体１１ａが弾性を有する合成樹脂材で形成されることと相俟って、スリット部１２を押し広げることが可能である。当該スリット部１２を手で押し広げて、パイプ１３に嵌め込むだけで、簡単に筒体１１ａを取り付けることができる。
【００１８】
筒体１１ａのパイプ１３への取り付け手順を説明すると、まず、パイプ１３に対してスリット部１２を対向させてから（図３参照）、スリット部１２を手で押し広げて（図４参照）、スリット部１２をパイプ１３へ押し付けて嵌め込み（図５参照）、筒体１１ａをパイプ１３に取り付ける。
【００１９】
次に、筒形安全看板１１の他の実施例を説明する。筒体１１ａの両方の端部１１ｂには、図６に示すように、回転防止用のゴム部材（滑り止め部材）１５が取り付けられている。従って、パイプ１３に取り付けられた筒体１１ａが回転しないので、安全標語１４を常に同一位置で視認することができる。
【００２０】
以上のように構成される筒形安全看板１１は、従来例のような垂れ幕部４が存在しないので、受風面積が狭く、強風時にバタツキなどの風散現象が発生しない。
【００２１】
同様に垂れ幕部４が存在しないので、図２に示すように、作業員１６が安全帯１７のフック１８をパイプ１３に係止した状態で移動するときに、垂れ幕部４が邪魔にならない。つまり、フック１８をパイプ１３に係止したままの状態で、筒体１１ａの外側に沿って移動できるので（矢印Ｂ参照）、従来例のような不安全行動が起こらない。
【産業上の利用可能性】
【００２２】
本発明の筒形安全看板１１は、建設工事現場において手摺用の単管パイプ等に取り付けて、安全作業を啓発するための看板であるが、これを応用して、例えばデパートの階段の手摺や、通路の手摺等に筒形広告看板を取り付けて、販売促進のための広告媒体として使用することも可能である。
【符号の説明】
【００２３】
１    安全看板
２    手摺部
３    筒部
４    垂れ幕部
５    風
６    作業員
７    安全帯
８    フック
１１  筒形安全看板
１１ａ  筒体
１１ｂ  端部
１２  スリット部
１３  パイプ
１４  安全標語
１５  ゴム部材（滑り止め部材）
１６  作業員
１７  安全帯
１８  フック
【図１】
2013190738.tif 000003
【図２】
2013190738.tif 000004
【図３】
2013190738.tif 000005
【図４】
2013190738.tif 000006
【図５】
2013190738.tif 000007
【図６】
2013190738.tif 000008
【図７】
2013190738.tif 000009
【図８】
2013190738.tif 000010